(57)【要約】【課題】  車両搭載用筐体を別体に取り付ける際に、簡単な構造で容易に嵌合が外れることを防止する。【解決手段】  第１壁部１２を有する第１筐体部材１０と、第２底部２１と第２底部の周縁部に立設する第２壁部２２とを有する第２筐体部材２０と、を備え、第２壁部が第１壁部の内側に嵌合する車両搭載用の筐体１であって、第２壁部は、外面に掛合部２２１と、掛合部と第２底部の間に当接阻止部２２２を有し、第１壁部は、掛合部と掛合する被掛合部１２２を有する舌部１２１を有し、当接阻止部は、掛合部と被掛合部とが掛合した時に、舌部と第２底部の間に位置すると共に、当接阻止部の第２壁部からの高さＨは、舌部の第２壁部からの高さとほぼ同じである筐体。【選択図】  図２
2016039754.tif 000002
【特許請求の範囲】
【請求項１】
第１底部と、該第１底部の周縁部に立設する第１壁部と、を有する第１筐体部材と、
第２底部と、該第２底部の周縁部に立設する第２壁部と、を有する第２筐体部材と、
を備え、前記第２壁部が前記第１壁部の内側に嵌合する車両搭載用の筐体であって、
前記第２壁部は、外面に掛合部と、前記掛合部と前記第２底部の間に当接阻止部を有し、
前記第１壁部は、前記掛合部と掛合する被掛合部を有する舌部を有し、
前記当接阻止部は、前記掛合部と前記被掛合部とが掛合した時に、前記舌部と前記第２底部の間に位置すると共に、前記当接阻止部の前記第２壁部からの高さは、前記舌部の前記第２壁部からの高さと略同じである、
筐体。
【請求項２】
前記当接阻止部は、前記第２壁部から突起する突起部であることを特徴とする請求項１に記載の筐体。
【請求項３】
前記突起部は、前記突起部の頂部から前記第２底部に向けて傾斜面を有することを特徴とする請求項２に記載の筐体。
【請求項４】
前記当接阻止部は、前記舌部の巾に相当する巾に亘り位置することを特徴とする請求項１に記載の筐体。
【請求項５】
内部に回路基板を備えることを特徴とする請求項１乃至４のいずれかに記載の筐体。
【請求項６】
前記回路基板は、非接触充電を行うための基板であることを特徴とする請求項５に記載の筐体。
【発明の詳細な説明】
【技術分野】
【０００１】
本発明は、内部に回路基板を含む車両搭載用筐体に関し、特に、別体に取り付けるための車両搭載用筐体に関する。
【背景技術】
【０００２】
回路基板を内部に有し、ケースとカバーを嵌合させた電気接続箱のような筐体においては、車両などの別体に取り付ける際に筐体が別体に衝突するなどして外力がかかり、この嵌合が外れてしまうことがあった。従来は、複数の嵌合方向を設けることで強固に嵌合する構成や、嵌合部を覆うなどの構成によりこの課題を解決してきた。
【０００３】
例えば、特許文献１は、ハウジングを構成する２つの部材が互いに揺動するように相対変位することを防止することを目的とした電気接続箱を開示する。この電気接続箱では、ケースにはケース側嵌合壁部が設けられており、コネクタハウジングにはコネクタ側嵌合壁部が設けられている。ケースとコネクタハウジングとを組み付ける工程においては、両嵌合壁部同士は、ケースのうち弾性ロック片が形成された対向する二面と交差する方向から摺接するようになっている。この結果、ケースとコネクタハウジングとが組み付けられた状態においては、両嵌合壁部同士が互いに支持しあうことで、ケース及びコネクタハウジングが、弾性ロック片を支点として、ケースのうち弾性ロック片が形成された対向する二面と交差する方向について、互いに揺動することを防止する。
【０００４】
また、特許文献２は、外圧が加わりにくく、信頼性及び作業性を向上させることを目的とした筐体を開示する。この筐体は、裏カバーが本体ケースに取り付けられるときには、裏カバーの側壁の内側に配置された係止爪の先端部が、本体ケースの側壁から内側に延びる平面部の内側縁部に係止する。すなわち、係合部位が本体ケース及び裏カバーの側壁の外部に露出することがないので、係合部位に外圧が加わりにくくなる。また、見返しが本体ケースに取り付けられると、見返しの舌片が、本体ケースの切欠部を完全に覆う。
【先行技術文献】
【特許文献】
【０００５】
【特許文献１】特開２００７−１８９８８３号公報
【特許文献２】特開２００７−２９８３６０号公報
【発明の概要】
【発明が解決しようとする課題】
【０００６】
しかし、嵌合を強固にする構成では別部材が必要となったり構造が複雑化したりする場合があり、嵌合部を覆う構成では電気接続箱全体の大きさが大きくなり、コスト面や小型化の弊害となっていた。
そこで、本発明は、車両搭載用筐体を別体に取り付ける際に、簡単な構造で容易に嵌合が外れることを防止する車両搭載用筐体を提供する。
【課題を解決するための手段】
【０００７】
上記課題を解決するために、第１底部と、その第１底部の周縁部に立設する第１壁部と、を有する第１筐体部材と、第２底部と、その第２底部の周縁部に立設する第２壁部と、を有する第２筐体部材と、を備え、第２壁部が第１壁部の内側に嵌合する車両搭載用の筐体であって、第２壁部は、外面に掛合部と、掛合部と第２底部の間に当接阻止部を有し、第１壁部は、掛合部と掛合する被掛合部を有する舌部を有し、当接阻止部は、掛合部と被掛合部とが掛合した時に、舌部と第２底部の間に位置すると共に、当接阻止部の第２壁部からの高さは、舌部の第２壁部からの高さと略同じである、筐体が提供される。
これによれば、別体に取り付ける際に、簡単な構造で容易に嵌合が外れることを防止することができる。
【０００８】
さらに、当接阻止部は、第２壁部から突起する突起部であることを特徴としてもよい。
これによれば、金型作成費用が低廉となる。
【０００９】
さらに、突起部は、突起部の頂部から第２底部に向けて傾斜面を有することを特徴としてもよい。
これによれば、別体の一部が舌部に当接することを回避しやすくなる。
【００１０】
さらに、当接阻止部は、舌部の巾に相当する巾に亘り位置することを特徴としてもよい。
これによれば、別体の一部が舌部に当接することを完全に防止することができる。
【００１１】
さらに、内部に回路基板を備えることを特徴としてもよい。
これによれば、車両搭載用筐体を電気接続箱として提供することができる。
【００１２】
さらに、回路基板は、非接触充電を行うための基板であることを特徴としてもよい。
これによれば、車両搭載用筐体をセンターコンソールに設置し、携帯電話やスマートフォンなどを充電する電気接続箱として提供することができる。
【発明の効果】
【００１３】
以上説明したように、本発明によれば、車両搭載用筐体を別体に取り付ける際に、簡単な構造で容易に嵌合が外れることを防止する車両搭載用筐体を提供することができる。
【図面の簡単な説明】
【００１４】
【図１】本発明に係る第一実施例の車両搭載用筐体の分解斜視図。
【図２】本発明に係る第一実施例の車両搭載用筐体における、掛合している部分の拡大縦断面図。
【図３】本発明に係る第一実施例の車両搭載用筐体における、掛合している部分の拡大斜視図。
【図４】本発明に係る第一実施例の変形例における、掛合している部分の拡大斜視図。
【図５】従来技術の車両搭載用筐体を別体に取り付ける際の説明図。
【発明を実施するための形態】
【００１５】
以下では、図面を参照しながら、本発明に係る各実施例について説明する。まず、図５を参照し、従来技術の車両搭載用筐体１Ｚを別体の車両の取り付け場所ＰＬに取り付ける場合について説明する。
【００１６】
最近の車両においては、車両搭載用筐体１Ｚの電気接続箱を取り付けるためのスペースとなる取り付け場所ＰＬは、車両搭載用筐体１Ｚ自体の大きさとあまり変わらない大きさであることが多い（本図（Ａ）参照）。従って、取り付ける際に車両搭載用筐体１Ｚが取り付け場所ＰＬの周囲に衝突するなどして外力がかかる場合がある。
【００１７】
例えば、本図（Ｂ）では、内部に回路基板３０Ｚを有し、筐体本体２０Ｚとカバー１０Ｚから構成される車両搭載用筐体１Ｚを示している。筐体本体２０Ｚの壁部２２Ｚは凸状の掛合部２２１Ｚを有し、カバー１０Ｚの壁部１２Ｚは孔状の被掛合部１２２Ｚを有しており、掛合部２２１Ｚが被掛合部１２２Ｚに嵌まり込み、筐体本体２０Ｚとカバー１０Ｚの両者が固定されている。筐体本体２０Ｚの壁部２２Ｚがカバー１０Ｚの壁部１２Ｚの内側に嵌合しているため、カバー１０Ｚの壁部１２Ｚの下端が、筐体本体２０Ｚの壁部２２Ｚの外面より突出している状態となる。このような車両搭載用筐体１Ｚを取り付け場所ＰＬの上方から取り付け場所ＰＬに取り付けようとする場合、カバー１０Ｚの壁部１２Ｚの下端が、取り付け場所ＰＬの上端の角に衝突して外力が加わると、掛合部２２１Ｚと被掛合部１２２Ｚの掛合が外れてしまう場合がある。以下に説明する実施例では、簡単な構造によりかかる問題を解消するものである。
【００１８】
＜第一実施例＞
図１乃至図３を参照して、本実施例に係る車両搭載用筐体１を説明する。本実施例の車両搭載用筐体１は、車両内に取り付けられる電気接続箱１である。電気接続箱１は、ケーブル等を介して車両内の電源や車載電装品（いずれも図示せず）と内部に有する回路基板とを接続する。なお、回路基板上に搭載される電子部品は、図においては省略する。電気接続箱１は、車内のセンターコンソール、ドア、エンジンルームなどいずれの箇所にも取り付けられることが可能である。車内のセンターコンソールに設置される電気接続箱における内部の回路基板は、携帯電話やスマートフォンなどを充電するための非接触充電を行うための基板であってもよい。これにより、運転中に携帯電話等を充電することができる。なお、非接触充電を行うための基板は公知のものであってよい。
【００１９】
電気接続箱１は、矩形の回路基板３０と、合成樹脂製の２つの部材、すなわち回路基板３０を開口側から収容する筐体本体２０（第２筐体部材）および筐体本体２０の開口側を嵌め込むカバー１０（第１筐体部材）とから構成される。カバー１０は、内部の回路基板３０を塵埃等から保護すると共に回路基板３０の交換などのために、筐体本体２０と着脱自在に固定される。
【００２０】
回路基板３０を収容する筐体本体２０は、矩形の回路基板３０よりひと回り大きく形成され、回路基板３０の端面が第２壁部２２に当接しないようになっている。また、筐体本体２０（第２筐体部材２０）は、第２底部２１および第２壁部２２の両方に亘って設けられるリブ２３を有する。リブ２３は、第２底部２１と第２壁部２２とが互いに直角をなすように維持するための補強材として機能すると共に、その上端２３１に回路基板３０を載置するものとしても機能する。
【００２１】
カバー１０（第１筐体部材１０）は、第１底部１１と第１底部１１の周縁部に立設する第１壁部１２とを有する。また、筐体本体２０（第２筐体部材２０）は、第２底部２１と第２底部２１の周縁部に立設する第２壁部２２とを有する。通常設置された時に上側となるカバー側からの塵埃等（特に液体）の侵入を防止するため、カバー１０は、筐体本体２０の開口側に取り付けられる際、筐体本体２０の第２壁部２２が第１壁部の内側に嵌合するように取り付けられる。カバー１０の第１壁部１２の内面と筐体本体２０の第２壁部２２の外面とは、塵埃などの侵入を防止するため密着させて固定される。
【００２２】
カバー１０の第１壁部１２は、カバー１０と筐体本体２０を固定した時に、第２底部２１の方へ延在する舌部１２１を複数有する。本実施例のカバー１０は、矩形の短辺に１つずつ、長辺に３つずつ、合計８つの舌部１２１を有する。むろん、これに限定されないが、バランスよく固定するためには、それぞれ対称的に舌部１２１を設けることが好ましい。舌部１２１の第１底部１１からの立ち上がり高さは、適宜定められるが、カバー１０と筐体本体２０を固定した時に第２底部２１まで達することはない。舌部１２１のそれぞれは、その先端の近傍に、後述する第２壁部２２の掛合部２２１と掛合する孔状の被掛合部１２２を有する。被掛合部１２２の孔の形状および大きさは、掛合部２２１に対応して適宜定められる。
【００２３】
筐体本体２０の第２壁部２２は、その外面側に、被掛合部１２２と掛合する掛合部２２１と、掛合部２２１と第２底部２１の間に当接阻止部２２２とを有する。掛合部２２１は、第２壁部２２の外面ＯＳ２から突出する凸状部を構成しており、その凸状部は、その頂部から第２壁部２２の上端方向へはなだらかな傾斜面を有し、下端方向へは第２壁部２２へほぼ垂直をなして接続される。その垂直をなす面が、被掛合部１２２の孔の内周面と掛合することで、しっかりと固定される。なお、当接阻止部２２２が第２壁部２２から突起する凸状の突起部とすることで、金型作成費用が低廉となる。
【００２４】
カバー１０は、弾性のある合成樹脂から形成されているので、取り付ける際に掛合部２２１の傾斜面が舌部１２１を押し広げ、掛合部２２１が孔状の被掛合部１２２に達した時に元に戻ることで掛合部２２１が被掛合部１２２に嵌る。掛合部２２１が被掛合部１２２に嵌った結果、掛合部２２１は、被掛合部１２２の内周面に掛合する。なお、筐体本体２０とカバー１０の固定方法は、これに限定されず、例えば、筐体本体側に凹部を、カバーの舌部に凸部を設けて互いを固定してもよい。
【００２５】
当接阻止部２２２は、掛合部２２１と被掛合部１２２とが掛合した時に、舌部１２１の先端と第２底部２１の間に位置する。当接阻止部２２２の位置は、舌部１２１の先端に近接している方が好ましい。また、当接阻止部２２２の第２壁部２２からの高さＨは、舌部１２１の外面ＯＳ１の第２壁部２２からの高さ、即ち舌部１２１の厚さとほぼ同じである。かかる当接阻止部２２２は、電気接続箱１を別体に取り付ける際、取り付け場所に衝突などして何かが舌部１２１に当接して外力が加わることを阻止することができる。これによれば、別体に取り付ける際に、当接阻止部２２２という簡単な構造で容易に嵌合が外れることを防止することができる。
【００２６】
また、当接阻止部２２２は、掛合部２２１と第２底部２１との間には位置しないことが好ましい。本実施例では、当接阻止部２２２は、１つの掛合部２２１に対して２か所に設けられ、そのそれぞれが舌部１２１の先端と第２底部２１の間に位置すると共に、掛合部２２１と第２底部２１との間には位置しないように設けられている。これによれば、第１筐体部材１０と第２筐体部材２０を取り外す際、第１壁部１２と第２壁部２２の間に工具などを挿入しやすくなり、容易に取り外すことができる。
【００２７】
なお、突起部を構成する当接阻止部２２２は、突起部の頂部から第２底部２１に向けて傾斜面を有することが好ましい。かかる当接阻止部２２２は、電気接続箱１を別体に取り付ける際、取り付け場所に衝突などして何かが舌部１２１に当接することをこの傾斜面を滑ることで回避しやすくなる。
【００２８】
＜第一実施例の変形例＞
図４は、本実施例における当接阻止部の変形例を示す。当接阻止部以外はまったく同じなので説明を省略する。上記実施例においては、当接阻止部は１つの掛合部に対して２か所に、掛合部と第２底部との間には位置しないように設けられていたが、本変形例では、１つの当接阻止部２２２’が、舌部１２１の巾に相当する巾に亘り位置している。かかる当接阻止部２２２’は、電気接続箱１を別体に取り付ける際、取り付け場所に衝突などして何かが舌部１２１に当接して外力が加わることを完全に阻止することができる。これによれば、別体に取り付ける際に、当接阻止部２２２’という簡単な構造で容易に嵌合が外れることを完全に防止することができる。
【００２９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００３０】
１      車両搭載用筐体（電気接続箱）
１０    第１筐体部材（カバー）
１１    第１底部
１２    第１壁部
１２１  舌部
１２２  被掛合部
２０    第２筐体部材（筐体本体）
２１    第２底部
２２    第２壁部
２２１  掛合部
２２２  当接阻止部（突起部）
２２３  傾斜面
２３    リブ
２３１  上端
３０    回路基板
ＯＳ１  舌部の外面
ＯＳ２  第２壁部の外面
Ｈ      第２壁部からの高さ
ＰＬ    取り付け場所
【図１】
2016039754.tif 000003
【図２】
2016039754.tif 000004
【図３】
2016039754.tif 000005
【図４】
2016039754.tif 000006
【図５】
2016039754.tif 000007